(57)【要約】【課題】録画開始タイミング又は録画終了タイミングを変更可能とする。【解決手段】入力動画像データにエンコード処理を実行して出力動画像データを生成するエンコーダを複数個設けておく。時刻ｔA1において録画開始の指示を受けると、第１エンコーダを有効エンコーダとして選択して第１エンコーダにエンコード処理を実行させることで画像ファイルＦ1を作成し、一方で、第２エンコーダの動作を停止させておく。その後、時刻ｔA2において録画のやり直しの指示を受けると、有効エンコーダを第１エンコーダから第２エンコーダに切り替えて時刻ｔA2から第２エンコーダにエンコード処理を実行させ、これによって画像ファイルＦ2を作成する。【選択図】図５
2011239003.tif 000002
【特許請求の範囲】
【請求項１】
動画像の画像データである入力動画像データを取得する入力動画像取得部と、
前記入力動画像データに所定処理を施すことで出力動画像データを生成する処理ブロックを複数個有する画像処理部と、
録画開始を指示する開始操作を含む複数の操作を受け付ける操作部と、
前記複数の処理ブロックの何れかを対象処理ブロックとして選択し、前記開始操作が成された後、前記対象処理ブロックからの出力動画像データを記録媒体に記録させる制御部と、を備え、
前記制御部は、前記操作部に対する操作内容に応じて、前記対象処理ブロックとして選択されるべき処理ブロックを前記複数の処理ブロックの中で切り替える
ことを特徴とする撮像装置。
【請求項２】
前記複数の操作には、録画停止を指示する停止操作と、前記開始操作及び前記停止操作と異なる特定操作とが、更に含まれ、
前記制御部は、前記特定操作又は前記停止操作が成されたとき、前記対象処理ブロックとして選択されるべき処理ブロックを前記複数の処理ブロックの中で切り替える
ことを特徴とする請求項１に記載の撮像装置。
【請求項３】
前記複数の処理ブロックは互いに異なる第１及び第２の処理ブロックを含み、
前記制御部は、前記開始操作が成された後に前記特定操作が成された場合、
前記開始操作が成されてから前記特定操作が成されるまでの基準期間において、前記対象処理ブロックとして選択された前記第１の処理ブロックからの出力動画像データを前記記録媒体に記録させる一方で、
前記基準期間後において、前記対象処理ブロックとして選択されるべき処理ブロックを前記第１の処理ブロックから前記第２の処理ブロックへと切り替えて前記第２の処理ブロックからの出力動画像データを前記記録媒体に記録させる
ことを特徴とする請求項２に記載の撮像装置。
【請求項４】
前記制御部は、前記開始操作が成された後に前記特定操作が成された場合、前記基準期間中に前記記録媒体への記録が成されていた前記第１の処理ブロックからの出力動画像データを、前記特定操作後に前記記録媒体から削除する
ことを特徴とする請求項３に記載の撮像装置。
【請求項５】
前記複数の処理ブロックは互いに異なる第１及び第２の処理ブロックを含み、
前記制御部は、前記開始操作が成された後に前記停止操作が成された場合、
前記開始操作が成されてから前記停止操作が成されるまでの基準期間において、前記対象処理ブロックとして選択された前記第１の処理ブロックからの出力動画像データを前記記録媒体に記録させる一方で、
前記基準期間後において、前記対象処理ブロックとして選択されるべき処理ブロックを前記第１の処理ブロックから前記第２の処理ブロックへと切り替えて前記第２の処理ブロックからの出力動画像データを前記記録媒体に記録させる
ことを特徴とする請求項２に記載の撮像装置。
【請求項６】
前記制御部は、前記停止操作が成されてから所定時間が経過するタイミングまでに前記特定操作が成されなかった場合、前記基準期間後に前記記録媒体への記録が成されていた前記第２の処理ブロックからの出力動画像データを、前記タイミング後に前記記録媒体から削除する
ことを特徴とする請求項５に記載の撮像装置。
【発明の詳細な説明】
【技術分野】
【０００１】
本発明は、動画像を撮影及び記録可能の撮像装置に関する。
【背景技術】
【０００２】
一般的なデジタルビデオカメラには録画ボタンが備えられている。ユーザは録画ボタンを押すことによって録画開始を指示することができ、その録画ボタンを再度押すことによって或いは別途設けられた停止ボタンを押すことによって、録画停止（換言すれば録画終了）を指示することができる。ユーザは、画像記録を望むシーンが録画期間に含まれるように録画開始及び録画停止の指示を成す。
【０００３】
デジタルビデオカメラには、動画像データの符号化を成すエンコーダが備えられており、エンコーダによるエンコード処理を介して記録媒体への動画像データの記録が成される。エンコーダは、録画停止の指示に従ってエンコード処理の実行を終了してから、準備必要期間が経過しないと再度のエンコード処理を実行することができない（図４参照）。エンコード処理の実行を終了してから準備必要期間が経過すると、エンコーダの状態はスタンバイ状態となってエンコード処理の即時再開が可能となる。準備必要期間は、エンコーダの動作に関与するハードウェア及びソフトウェアの特性上、必須のものであって、所定の時間長さ（例えば数秒）を有する。
【０００４】
尚、下記特許文献１には、シャッタキー操作が成された際、撮影者により指定された第１及び第２撮影時間を用い、シャッタキー操作前の第１撮影時間分の動画像とシャッタキー操作後の第２撮影時間分の動画像を保存する技術が提案されている。
【先行技術文献】
【特許文献】
【０００５】
【特許文献１】特開２００６−８０８０９号公報
【発明の概要】
【発明が解決しようとする課題】
【０００６】
図１１を参照して、従来の撮像装置の第１実使用例を説明する。今、結婚式において新郎及び新婦が撮影者の居る会場へ入場するシーンを、撮影者としてのユーザが録画しようとしていることを想定する（後述の第２実使用例においても同様）。時刻ＴA1において、新郎及び新婦が会場へ入場する旨のアナウンスを結婚式の司会者が発声する。この発声を聞いた撮影者は、デジタルビデオカメラに対して録画開始の指示を成す。これにより、時刻ＴA1から又は時刻ＴA1より若干の時間が経過した時点から録画が開始される。しかしながら、実際には新郎及び新婦がなかなか会場へ入場してこず、時刻ＴA1から相当の時間（例えば３０秒）が経過した時刻ＴA2において新郎及び新婦が会場へ入場してきたとする。
【０００７】
撮影者は、新郎及び新婦が会場へ入場するシーンの録画を希望しているのであるから、時刻ＴA2を録画開始タイミングに設定した上で動画像を撮影しなおすことが、撮影者にとって最も望ましい。換言すれば、録画開始タイミングを時刻ＴA1から時刻ＴA2へ変更することが撮影者にとって最も望ましい。しかしながら、新郎及び新婦が実際に会場へ入場してくるまで入場タイミングは予測しがたい。仮に時刻ＴA2の直前タイミングである時刻ＴA2’に録画を一時停止してしまったならば、準備必要期間の存在により肝心のシーンである入場シーンを撮り逃がすおそれがある。故に、入場シーンの撮り逃し回避を優先するならば、撮影者は録画の一時停止を成すことができない。結果、図１１に示す如く、不要なシーンとも言える時刻ＴA1及びＴA2間のシーンを含んだ冗長な動画像データ９０１が記録されることとなる。
【０００８】
図１２を参照して、従来の撮像装置の第２実使用例を説明する。時刻ＴB1において、新郎及び新婦が会場へ入場する旨のアナウンスを結婚式の司会者が発声する。この発声を聞いた撮影者は、デジタルビデオカメラに対して録画開始の指示を成す。これにより、時刻ＴB1から又は時刻ＴB1より若干の時間が経過した時点から録画が開始される。その後、実際に新郎及び新婦が会場へ入場する様子を録画し、時刻ＴB2において、入場シーンが完了したと判断して撮影者が録画停止の指示をデジタルビデオカメラに成したとする。ところが、その直後の時刻ＴB3において、動画像の記録が望まれるような印象的なシーンが発生したとする。そうすると、撮影者はあわてて再度録画開始の指示をデジタルビデオカメラに対して成す。しかしながら、準備必要期間の存在によりデジタルビデオカメラは時刻ＴB3から直ちに録画を再開することができず、時刻ＴB3よりも後の時刻ＴB4から実際に録画を再開する。この後、撮影者は時刻ＴB5において再度の録画停止指示を成す。
【０００９】
この結果、図１２に示すように、時刻ＴB1及びＴB2間の動画像データ９１１と、時刻ＴB4及びＴB5間の動画像データ９１２が、デジタルビデオカメラの記録媒体に保存されることとなるが、重要なシーンの１つである、時刻ＴB2及びＴB4間の動画像データは該記録媒体に保存されない。仮に、時刻ＴB2において成した録画停止指示を取り消して録画終了タイミングを時刻ＴB2から時刻ＴB2よりも後の時刻へと変更することができたならば、重要なシーンの撮り逃しを回避することができるのであるが、従来のデジタルビデオカメラにおいて、そのような要望に応えることはできない。
【００１０】
尚、特許文献１に記載の技術は、静止画像の撮影時点前後の動画像を保存するための技術であって、図１１及び図１２を参照して示したような従来課題の解決に寄与するものではない。
【００１１】
そこで本発明は、重要なシーンの撮り逃しの発生や冗長な動画像データの記録の回避等に寄与する撮像装置を提供することを目的とする。
【課題を解決するための手段】
【００１２】
本発明に係る撮像装置は、動画像の画像データである入力動画像データを取得する入力動画像取得部と、前記入力動画像データに所定処理を施すことで出力動画像データを生成する処理ブロックを複数個有する画像処理部と、録画開始を指示する開始操作を含む複数の操作を受け付ける操作部と、前記複数の処理ブロックの何れかを対象処理ブロックとして選択し、前記開始操作が成された後、前記対象処理ブロックからの出力動画像データを記録媒体に記録させる制御部と、を備え、前記制御部は、前記操作部に対する操作内容に応じて、前記対象処理ブロックとして選択されるべき処理ブロックを前記複数の処理ブロックの中で切り替えることを特徴とする。
【００１３】
例えば、録画（即ち、出力動画像データの記録）の開始指示に応じ、第１の処理ブロックを対象処理ブロックとして選択して第１の処理ブロックに所定処理を実行させているとき、必要に応じて直ちに所定処理を開始できるように第２の処理ブロックを待機させておく。そして、操作部に対して所定操作（例えば、録画のやり直しを指示する操作や録画停止を指示する操作）が成されたとき、対象処理ブロックを第１の処理ブロックから第２の処理ブロックに切り替える。そうすると、第２の処理ブロックは該所定操作が成された時点から直ちに上記所定処理を実行可能である。
【００１４】
従って例えば、操作部に対して成された所定操作が録画のやり直しを指示する操作であるならば、第２の処理ブロックを用いて該所定操作が成された時点から直ちに録画（即ち、出力動画像データの記録）をやり直すことが可能である。即ち、録画開始タイミングを自由に変更できるかのような効果が得られ、結果、重要なシーンの撮り逃しの発生又は冗長な動画像データの記録を回避することが可能となる。
【００１５】
或いは例えば、操作部に対して成された所定操作が録画停止を指示する操作であるならば、第２の処理ブロックを用いて出力動画像データの生成を継続させておくことで、必要に応じ、録画停止の指示後の動画像データを記録媒体内に残しておくことが可能となる。具体的には例えば、録画停止の指示後のシーンが重要なシーンであることが事後的に判明した場合、撮影者は必要な指示を撮像装置に与えることで、録画停止の指示後の動画像データ（第２の処理ブロックを用いて得られた出力動画像データ）を記録媒体内に残しておくことが可能となる。即ち、録画終了タイミングを自由に変更できるかのような効果が得られ、結果、重要なシーンの撮り逃しの発生を回避することが可能となる。
【００１６】
具体的に例えば、前記複数の操作には、録画停止を指示する停止操作と、前記開始操作及び前記停止操作と異なる特定操作とが、更に含まれ、前記制御部は、前記特定操作又は前記停止操作が成されたとき、前記対象処理ブロックとして選択されるべき処理ブロックを前記複数の処理ブロックの中で切り替える。
【００１７】
そして例えば、前記複数の処理ブロックは互いに異なる第１及び第２の処理ブロックを含み、前記制御部は、前記開始操作が成された後に前記特定操作が成された場合、前記開始操作が成されてから前記特定操作が成されるまでの基準期間において、前記対象処理ブロックとして選択された前記第１の処理ブロックからの出力動画像データを前記記録媒体に記録させる一方で、前記基準期間後において、前記対象処理ブロックとして選択されるべき処理ブロックを前記第１の処理ブロックから前記第２の処理ブロックへと切り替えて前記第２の処理ブロックからの出力動画像データを前記記録媒体に記録させる。
【００１８】
また例えば、前記制御部は、前記開始操作が成された後に前記特定操作が成された場合、前記基準期間中に前記記録媒体への記録が成されていた前記第１の処理ブロックからの出力動画像データを、前記特定操作後に前記記録媒体から削除する。
【００１９】
これにより、撮影者によって記録の意図されていない画像データを、自動的に記録媒体から除去することが可能となる。
【００２０】
そして例えば、前記複数の処理ブロックは互いに異なる第１及び第２の処理ブロックを含み、前記制御部は、前記開始操作が成された後に前記停止操作が成された場合、前記開始操作が成されてから前記停止操作が成されるまでの基準期間において、前記対象処理ブロックとして選択された前記第１の処理ブロックからの出力動画像データを前記記録媒体に記録させる一方で、前記基準期間後において、前記対象処理ブロックとして選択されるべき処理ブロックを前記第１の処理ブロックから前記第２の処理ブロックへと切り替えて前記第２の処理ブロックからの出力動画像データを前記記録媒体に記録させる。
【００２１】
また例えば、前記制御部は、前記停止操作が成されてから所定時間が経過するタイミングまでに前記特定操作が成されなかった場合、前記基準期間後に前記記録媒体への記録が成されていた前記第２の処理ブロックからの出力動画像データを、前記タイミング後に前記記録媒体から削除する。
【００２２】
これにより、撮影者によって記録の意図されていない画像データを、自動的に記録媒体から除去することが可能となる。
【発明の効果】
【００２３】
本発明によれば、重要なシーンの撮り逃しの発生や冗長な動画像データの記録の回避等に寄与する撮像装置を提供することが可能となる。
【００２４】
本発明の意義ないし効果は、以下に示す実施の形態の説明により更に明らかとなろう。ただし、以下の実施の形態は、あくまでも本発明の一つの実施形態であって、本発明ないし各構成要件の用語の意義は、以下の実施の形態に記載されたものに制限されるものではない。
【図面の簡単な説明】
【００２５】
【図１】本発明の実施形態に係る撮像装置の全体的構成を表すブロック図である。
【図２】図１の撮像部の内部構成図である。
【図３】図１の操作部に設けることのできるボタンを示す図である。
【図４】エンコーダの状態変化を説明するための図である。
【図５】本発明の実施形態に係る第１具体例の概念図である。
【図６】本発明の実施形態に係る第１具体例の変形概念図である。
【図７】本発明の実施形態に係る第２具体例の概念図である。
【図８】本発明の実施形態に係る第３具体例の概念図である。
【図９】本発明の実施形態に係る第４具体例の概念図である。
【図１０】２つの画像ファイルが結合される様子を示す図である。
【図１１】従来の撮像装置の第１実使用例を表した図である。
【図１２】従来の撮像装置の第２実使用例を表した図である。
【発明を実施するための形態】
【００２６】
以下、本発明の一実施形態につき、図面を参照して具体的に説明する。参照される各図において、同一の部分には同一の符号を付し、同一の部分に関する重複する説明を原則として省略する。
【００２７】
図１は、本発明の実施形態に係る撮像装置１の全体的構成を表すブロック図である。撮像装置１は、符号１１〜１８によって参照される各部位を備える。撮像装置１は、静止画像及び動画像を撮影可能なデジタルビデオカメラである。図１には示されていないが、撮像装置１に、更に、液晶ディスプレイパネル等から成る表示部、撮像装置１の周辺の音を音響信号に変換するマイク部、及び、音響信号を音として再生するスピーカ部などが設けられていても良い。
【００２８】
図２は、撮像部１１の内部構成図である。撮像部１１は、光学系３５と、絞り３２と、ＣＣＤ（Charge Coupled Device）やＣＭＯＳ（Complementary Metal Oxide Semiconductor）イメージセンサなどから成る撮像素子３３と、光学系３５や絞り３２を駆動制御するためのドライバ３４と、を有している。光学系３５は、ズームレンズ３０及びフォーカスレンズ３１を含む複数枚のレンズから形成される。ズームレンズ３０及びフォーカスレンズ３１は光軸方向に移動可能である。ドライバ３４は、主制御部１８からの制御信号に基づいてズームレンズ３０及びフォーカスレンズ３１の各位置並びに絞り３２の開度を駆動制御することにより、撮像部１１の焦点距離（画角）及び焦点位置並びに撮像素子３３への入射光量（換言すれば絞り値）を制御する。
【００２９】
ＡＦＥ１２は、撮像素子３３から出力されたアナログ信号を増幅してデジタル信号に変換し、得られたデジタル信号を前段処理部１３に出力する。
【００３０】
前段処理部１３は、ＡＦＥ１２の出力信号に対して所定の前段処理（デモザイキング処理、ノイズ低減処理等）を施し、その前段処理後の信号を画像処理部１４に出力する。上述したように撮像装置１では静止画像を撮影及び記録することもできるが、本実施形態では、動画像の撮影及び記録に関与する特徴的な動作及び構成を説明する。前段処理部１３から画像処理部１４に供給される、動画像についての画像データを入力動画像データと呼ぶ。入力動画像データは、撮像素子３３の出力信号に基づく動画像の画像データである。撮像素子３３は、所定のフレームレート（例えば、６０ｆｐｓ（frame per second））で順次画像撮影を行うことで、入力動画像データの元となる信号を生成する。
【００３１】
画像処理部１４は、入力切替部２０及び出力切替部２３と、第１エンコーダであるエンコーダ２１及び第２エンコーダであるエンコーダ２２を有し、エンコーダ２１及び２２を選択的に用いて入力動画像データから出力動画像データを生成する。エンコーダ２１が選択される画像処理部１４の状態を第１選択状態と呼び、エンコーダ２２が選択される画像処理部１４の状態を第２選択状態と呼ぶ。
【００３２】
第１選択状態では、入力動画像データが入力切替部２０を介してエンコーダ２１に供給され、エンコーダ２１が入力動画像データに対して所定のエンコード処理を実行することで、出力切替部２３を介してメモリドライバ１５に供給されるべき出力動画像データを生成する。第２選択状態では、入力動画像データが入力切替部２０を介してエンコーダ２２に供給され、エンコーダ２２が入力動画像データに対して所定のエンコード処理を実行することで、出力切替部２３を介してメモリドライバ１５に供給されるべき出力動画像データを生成する。
【００３３】
第１選択状態においてエンコーダ２１にて実行されるエンコード処理の内容と、第２選択状態においてエンコーダ２２にて実行されるエンコード処理の内容は同じものである。エンコード処理によって入力動画像データが符号化され、符号化後の動画像データが出力動画像として生成される。エンコード処理における符号化の方法は任意であり、それらを任意の規格に準拠させることができる。例えば、エンコード処理における符号化の方法を、Ｈ.２６４やＭＰＥＧ−４（Moving Picture Experts Group-4）に準拠させることが可能である。
【００３４】
メモリドライバ１５は、記録媒体１６内に画像ファイルを作成し、その画像ファイル内に出力動画像データを保存する。これにより、出力動画像データが記録媒体１６内に記録される。メモリドライバ１５は、主制御部１８の制御に従って動作するものであるため、以下の説明では、メモリドライバ１５が出力動画像データを記録媒体１６に記録させるという内容を、主制御部１８が出力動画像データを記録媒体１６に記録させるなどと表現する場合がある。尚、データの記録、保存及び格納は同義である。記録媒体１６は、半導体メモリや磁気ディスク等から成る不揮発性メモリである。
【００３５】
操作部１７は、ユーザによる様々な操作を受け付ける部位である。操作部１７に対する操作内容は、主制御部１８に伝達される。主制御部１８は、撮像装置１内の各部位の動作を統括的に制御する。特に、操作部１７に対する操作内容に応じて、画像処理部１４の状態を第１及び第２選択状態間で切り替える。
【００３６】
メモリドライバ１５に供給されるべき出力動画像データを生成するエンコーダを、特に有効エンコーダと呼び、それ以外のエンコーダを無効エンコーダとも呼ぶ。第１選択状態においては、エンコーダ２１が有効エンコーダであって且つエンコーダ２２が無効エンコーダである。第２選択状態においては、エンコーダ２１が無効エンコーダであって且つエンコーダ２２が有効エンコーダである。画像処理部１４の状態を第１及び第２選択状態間で切り替える処理は、エンコーダ２１及び２２の中から有効エンコーダを選択する処理、又は、有効エンコーダ（対象処理ブロック）として選択されるべきエンコーダ（処理ブロック）をエンコーダ２１及び２２の中で切り替える処理とも言える。
【００３７】
第１選択状態において、エンコーダ２１だけでなくエンコーダ２２にも入力動画像データを与え、エンコーダ２２にてエンコーダ処理を実行させておくことも可能ではあるが、第１選択状態においてはエンコーダ２２における動作（エンコーダ処理の実行動作を含む）を停止させておくとよい。同様に、第２選択状態において、エンコーダ２２だけでなくエンコーダ２１にも入力動画像データを与え、エンコーダ２１にてエンコーダ処理を実行させておくことも可能ではあるが、第２選択状態においてはエンコーダ２１における動作（エンコーダ処理の実行動作を含む）を停止させておくとよい。これらの停止により、無駄な電力消費等を抑制することができる。
【００３８】
ユーザが操作部１７に対して成すことができる操作には、録画開始を指示する操作である第１指示操作、録画停止を指示する操作である第２指示操作、既に成された操作の取消しを指示する操作である第３指示操作及び録画のやり直しを指示する操作である第４指示操作が含まれる。但し、第３及び第４指示操作の一方を割愛することも可能である。録画とは、撮像素子３３を用いて得られる動画像の画像データを記録媒体１６に記録することを指す。
【００３９】
操作部１７に第１指示操作が成された場合、録画開始信号が操作部１７にて発生して主制御部１８及び画像処理部１４に伝達され、
操作部１７に第２指示操作が成された場合、録画停止信号が操作部１７にて発生して主制御部１８及び画像処理部１４に伝達され、
操作部１７に第３指示操作が成された場合、取消信号が操作部１７にて発生して主制御部１８及び画像処理部１４に伝達され、
操作部１７に第４指示操作が成された場合、録画やり直し信号が操作部１７にて発生して主制御部１８及び画像処理部１４に伝達される。
【００４０】
第１〜第４指示操作は互いに異なる操作である。各指示操作に別個のボタンを割り当てるようにしても良いし、共通のボタンに対する操作に複数の指示操作を割り当てることも可能である。以下に、撮像装置１にて採用可能な、第１〜第４指示操作のボタンへの割り当て方法を幾つか例示する。
【００４１】
第１及び第２指示操作に対する第１割り当て方法では、図３（ａ）に示される、互いに異なる録画ボタン１０１及び停止ボタン１０２を操作部１７に設けておき、録画ボタン１０１及び停止ボタン１０２に、それぞれ第１及び第２指示操作を割り当てる。この場合、録画ボタン１０１及び停止ボタン１０２を押す操作がそれぞれ第１及び第２指示操作である。
【００４２】
第１及び第２指示操作に対する第２割り当て方法では、図３（ｂ）に示される録画ボタン１１１を操作部１７に設けておき、録画ボタン１１１に、第１及び第２指示操作を割り当てる。この場合、奇数回目に録画ボタン１１１を押す操作を第１指示操作に相当させることができ、偶数回目に録画ボタン１１１を押す操作を第２指示操作に相当させることができる。
【００４３】
第３及び第４指示操作に対する第１割り当て方法では、図３（ｃ）に示される、互いに異なる２つの専用ボタン１２１及び１２２を操作部１７に設けておき、専用ボタン１２１及び１２２に、それぞれ第３及び第４指示操作を割り当てる。この場合、専用ボタン１２１及び１２２を押す操作がそれぞれ第３及び第４指示操作である。
【００４４】
第３及び第４指示操作に対する第２割り当て方法は、第１及び第２指示操作に対する上記第１割り当て方法と組み合わせて実現される。この方法では、録画ボタン１０１を所定時間未満だけ押す操作及び停止ボタン１０２を所定時間未満だけ押す操作を、夫々、第１及び第２指示操作に相当させる。一方で、録画ボタン１０１を所定時間以上押す操作及び停止ボタン１０２を所定時間以上押す操作を、夫々、第３及び第４指示操作に相当させる。或いは、録画ボタン１０１を所定時間以上押す操作及び停止ボタン１０２を所定時間以上押す操作を、夫々、第４及び第３指示操作に相当させる。
【００４５】
第３及び第４指示操作に対する第３割り当て方法も、第１及び第２指示操作に対する上記第１割り当て方法と組み合わせて実現される。この方法では、奇数回目に録画ボタン１０１を押す操作を第１指示操作に相当させ、偶数回目に録画ボタン１０１を押す操作を第３又は第４指示操作に相当させる。或いは、奇数回目に停止ボタン１０２を押す操作を第２指示操作に相当させ、偶数回目に停止ボタン１０２を押す操作を第３又は第４指示操作に相当させる。
【００４６】
この他、様々なボタンの割り当て方法を採用可能であり、後述の動作の具体例の説明の中で、他の割り当て方法も説明される。尚、撮像装置１に設けられた表示部（不図示）にタッチパネル機能が備えられている場合、上述された各ボタンは、該表示部上に表示されたボタンであっても良い。この場合、該表示部は操作部としての機能も持つことになる。また、各指示操作をボタンを押す操作に対応させる例を上述したが、各指示操作はボタンを押す操作以外の操作であっても良い。例えば、各指示操作は、ダイヤルを回す操作や、任意のタッチパネル操作（例えば表示画面上を指でなぞる操作）であっても良い。
【００４７】
図４に示す如く、エンコーダ２１は、録画停止の指示に従ってエンコード処理の実行を終了してから、所定の時間長さ（例えば数秒）を有する準備必要期間が経過しないと、再度のエンコード処理を実行することができない。エンコーダ２２についても同様である。エンコーダ２１において、エンコード処理の実行を終了してから準備必要期間が経過すると、エンコーダ２１の状態はスタンバイ状態となる（エンコーダ２２も同様）。エンコーダ２１の状態がスタンバイ状態にあるとき、入力動画像データをエンコーダ２１に供給すると直ちにエンコーダ２１はエンコード処理を実行することができる（エンコーダ２２も同様）。
【００４８】
各エンコーダの状態を撮像装置１に設けられた表示部（不図示）等を用いてユーザに提示するようにしても良い。例えば、各エンコーダが、エンコード処理を実行している状態にあるのか、準備必要期間中の状態にあるのか、スタンバイ状態にあるのかを、上記表示部に表示するようにしても良い。また例えば、現在エンコード処理を実行しているエンコーダが何れのエンコーダであるのか、現在エンコード処理を実行していないエンコーダが何れのエンコーダであるのかを上記表示部に表示するようにしても良い。また例えば、各エンコーダの処理内容を上記表示部に表示するようにしても良い。また例えば、エンコーダ２１の状態が準備必要期間中の状態にあるとき、あとどれだけ時間が経過すれば、エンコーダ２１の状態がスタンバイ状態になるのかを上記表示部に表示するようにしても良い（エンコーダ２２も同様）。これらの提示により、ユーザは撮像装置１のシステム状態を適切に把握することができ、結果、効率的にシステムを利用することが可能となる。
【００４９】
次に、撮像装置１の動作の具体例として第１〜第４具体例を説明する。
【００５０】
［第１具体例］
第１具体例を説明する。図５は、第１具体例の概念図である。時間が進行するにつれて、時刻ｔA1、ｔA2及びｔA3が順次訪れるものとする。即ち、時刻ｔAi+1は時刻ｔAiよりも後の時刻である（ｉは整数）。撮像装置１の起動後、時刻ｔA1に至るまで十分な時間が経過しており、且つ、時刻ｔA1以前において録画開始の指示は成されておらず、且つ、時刻ｔA1の直前において画像処理部１４の状態は第１選択状態であることを想定する。また、画像ファイルＦ1及びＦ2は互いに異なる画像ファイルであるとする。
【００５１】
第１具体例では、時刻ｔA1においてユーザが第１指示操作を成すことで録画開始信号が発生し、時刻ｔA2においてユーザが第４指示操作を成すことで録画やり直し信号が発生し、時刻ｔA3においてユーザが第２指示操作を成すことで録画停止信号が発生したものとする。時刻ｔA1及びｔA3間の撮影によって得られる入力動画像データは、時刻ｔA1及びｔA3間において画像処理部１４に供給される。
【００５２】
時刻ｔA1において画像処理部１４の状態は第１選択状態であるため、エンコーダ２１は、時刻ｔA1及びｔA2間の撮影によって得られる入力動画像データに対してエンコード処理を実行し、これによって時刻ｔA1及びｔA2間の入力動画像データに基づく時刻ｔA1及びｔA2間の出力動画像データを生成する。時刻ｔA1及びｔA2間において、メモリドライバ１５は、記録媒体１６内に画像ファイルＦ1を作成し、主制御部１８の制御の下で時刻ｔA1及びｔA2間の出力動画像データを画像ファイルＦ1に格納してゆく。
【００５３】
そして、時刻ｔA2において録画やり直し信号が発生すると、主制御部１８は、時刻ｔA2において又は時刻ｔA2の直後において、速やかに画像処理部１４の状態を第１選択状態から第２選択状態へと切り替える（即ち、有効エンコーダとして選択されるべきエンコーダをエンコーダ２１からエンコーダ２２へと切り替える）。
【００５４】
時刻ｔA2において、エンコーダ２２の状態はスタンバイ状態になっているため（図４参照）、エンコーダ２２は、時刻ｔA2から直ちにエンコード処理を実行することができる。エンコーダ２２は、時刻ｔA2及びｔA3間の撮影によって得られる入力動画像データに対してエンコード処理を実行し、これによって時刻ｔA2及びｔA3間の入力動画像データに基づく時刻ｔA2及びｔA3間の出力動画像データを生成する。時刻ｔA2及びｔA3間において、メモリドライバ１５は、記録媒体１６内に画像ファイルＦ2を作成し、主制御部１８の制御の下で時刻ｔA2及びｔA3間の出力動画像データを画像ファイルＦ2に格納してゆく。
【００５５】
時刻ｔA3において録画停止信号が発生すると、主制御部１８は、エンコーダ２２によるエンコード処理の実行を停止させる。時刻ｔA3以降において、特別な操作が成されない限り、時刻ｔA1及びｔA2間の出力動画像データを格納した画像ファイルＦ1と、時刻ｔA2及びｔA3間の出力動画像データを格納した画像ファイルＦ2とが、記録媒体１６に保存されたままとなる。画像ファイルのファイル番号が画像ファイルの作成順に連続番号で与えられる場合、主制御部１８は、例えば、画像ファイルＦ1に対してファイル番号“００１”を与え、画像ファイルＦ2に対してファイル番号“００２”を与える。
【００５６】
尚、図５に示す状況とは異なるが、時刻ｔA3において録画停止信号ではなく録画やり直し信号が発生したならば、時刻ｔA3において又は時刻ｔA3の直後において、画像処理部１４の状態は第２選択状態から第１選択状態へと切り替えられ、エンコーダ２１は時刻ｔA3から直ちにエンコード処理を実行することができる（但し、時刻ｔA2及びｔA3間の時間長さが準備必要期間の時間長さよりも長いことを想定）。
【００５７】
上述の如く、エンコーダを複数個設けておき、録画やり直し信号の発生に応じて有効エンコーダを切り替えるようにすれば、録画を行っている最中においても所望のタイミングにて録画の開始をやり直すことができる。即ち、録画開始タイミングを何度でも変更することができる。図５の例において、画像ファイルＦ2が録画開始タイミングの変更が成された画像ファイルであり、例えば、画像ファイルＦ2を、ユーザが真に取得したかった動画像の画像ファイルであると考えることができる。
【００５８】
時刻ｔA1及びｔA2間の撮影シーンがユーザにとって重要ではなく、時刻ｔA2から録画の開始をやり直したい場合、従来の撮像装置のユーザは、録画を一旦停止させてから、再度、録画開始を指示する必要がある。しかしながら、従来の撮像装置では、録画を一旦停止させると準備必要期間を経てからしか録画を再開させることができず、準備必要期間に重要なシーンがあった場合、重要なシーンを撮り逃すおそれがある。或いは、重要なシーンの撮り逃しを避けるべく、従来の撮像装置のユーザは録画の一旦停止を断念せざるを得ず、結果、冗長なシーンを含む画像ファイルが作成されてしまうことも多い。一方、本実施形態によれば、時刻ｔA2から録画の開始をやり直したい場合、ユーザは時刻ｔA2において録画やり直し信号を発生させる操作を成せばよい。これにより、録画を行っている最中においても時刻ｔA2から直ちに録画が再開始され、冗長なシーンを含まない画像ファイルＦ2を取得することができる。
【００５９】
尚、仮に画像ファイルＦ1の保存が不要であると考えるならば、ユーザは、所定の操作を操作部１７に成すことで、事後的に画像ファイルＦ1を記録媒体１６から削除することができる。
【００６０】
或いは、時刻ｔA2にて録画やり直し信号が発生した後、画像ファイルＦ1が不要なファイルであるとみなし、ユーザの操作に依ることなく画像ファイルＦ1を記録媒体１６から削除するようにしても良い（図６参照）。この削除は、主制御部１８の制御の下、メモリドライバ１５によって実行される。この削除が成される場合、主制御部１８の制御の下、画像ファイルＦ2に与えていたファイル番号“００２”をファイル番号“００１”へと変更すると良い。また、ユーザの操作に依ることなく画像ファイルＦ1を記録媒体１６から削除して画像ファイルＦ2のファイル番号“００２”をファイル番号“００１”へと自動的に変更した場合、その削除及びファイル番号変更が成されたことをユーザに提示するようにしても良い。この提示を、撮像装置１に設けられた表示部（不図示）等を用いて行うことができる。より具体的には、画像ファイルＦ2のファイル番号が“００２”から“００１”へと変更されたことや、画像ファイルＦ2の次に保存されることとなる画像ファイルのファイル番号が“００２”であること等をユーザに提示すると良い。これにより、ユーザは、ファイル操作（本例においてファイル番号の変更等）が行われたことを確認することができ、ファイル番号と画像ファイルの内容との対応関係を適切に把握することが可能となる。
【００６１】
［第２具体例］
第２具体例を説明する。図７は、第２具体例の概念図である。時間が進行するにつれて、時刻ｔB1、ｔB2、ｔB3及びｔB4が順次訪れるものとする。即ち、時刻ｔBi+1は時刻ｔBiよりも後の時刻である（ｉは整数）。撮像装置１の起動後、時刻ｔB1に至るまで十分な時間が経過しており、且つ、時刻ｔB1以前において録画開始の指示は成されておらず、且つ、時刻ｔB1の直前において画像処理部１４の状態は第１選択状態であることを想定する（後述の第３及び第４具体例においても同様）。また、画像ファイルＦ3及びＦ4は、互いに異なる画像ファイルであるとする（後述の第３及び第４具体例においても同様）。
【００６２】
第２具体例では、時刻ｔB1においてユーザが第１指示操作を成すことで録画開始信号が発生し、時刻ｔB2においてユーザが第２指示操作を成すことで録画停止信号が発生し、時刻ｔB3においてユーザが第３指示操作を成すことで取消信号が発生し、時刻ｔB4においてユーザが再び第２指示操作を成すことで再び録画停止信号が発生したものとする。また、時刻ｔB2及びｔB3間の時間長さΔｔは所定の基準時間ＴＨよりも短いものとする。時刻ｔB1及びｔB4間の撮影によって得られる入力動画像データは、時刻ｔB1及びｔB4間において画像処理部１４に供給される。
【００６３】
時刻ｔB1において画像処理部１４の状態は第１選択状態であるため、エンコーダ２１は、時刻ｔB1及びｔB2間の撮影によって得られる入力動画像データに対してエンコード処理を実行し、これによって時刻ｔB1及びｔB2間の入力動画像データに基づく時刻ｔB1及びｔB2間の出力動画像データを生成する。時刻ｔB1及びｔB2間において、メモリドライバ１５は、記録媒体１６内に画像ファイルＦ3を作成し、主制御部１８の制御の下で時刻ｔB1及びｔB2間の出力動画像データを画像ファイルＦ3に格納してゆく。
【００６４】
そして、時刻ｔB2において録画停止信号が発生すると、主制御部１８は、時刻ｔB2において又は時刻ｔB2の直後において、速やかに画像処理部１４の状態を第１選択状態から第２選択状態へと切り替える（即ち、有効エンコーダとして選択されるべきエンコーダをエンコーダ２１からエンコーダ２２へと切り替える）。時刻ｔB2において、エンコーダ２２の状態はスタンバイ状態になっているため（図４参照）、エンコーダ２２は時刻ｔB2から直ちにエンコード処理を実行することができる。
【００６５】
ここで、録画停止信号の発生時刻をｔBにて表し、第２具体例におけるファイル操作について説明する。尚、図８は後述の第３具体例の概念図であるが、本ファイル操作の内容を説明するために便宜上参照される。主制御部１８は、録画停止信号の発生後、録画停止信号が発生した時刻ｔBからの経過時間を計測し、時刻（ｔB＋ＴＨ）までに取消信号が発生したか否かを監視する。時刻（ｔB＋ＴＨ）は、時刻ｔBから基準時間ＴＨが経過した時刻を指す。そして、時刻ｔBの後、時刻（ｔB＋ＴＨ）までに取消信号が発生した場合、取消判定を成し、そうでない場合には有効判定を成す。時刻（ｔB＋ＴＨ）までに取消信号が発生するのか否かは、時刻（ｔB＋ＴＨ）に至るまで或いは取消信号の発生が確認されるまで確定できない。故に、その確定が成されるまで、主制御部１８は、有効エンコーダにエンコード処理を実行させて、得られる出力動画像データを画像ファイルに格納した上で記録媒体１６に記録させておく。
【００６６】
取消判定を成した場合、主制御部１８は、時刻ｔBにてユーザが成した操作（即ち、録画停止信号を発生させるための第２指示操作）がユーザによって取り消されたものとみなし、時刻ｔB及び時刻ｔB’間の入力動画像データに基づく時刻ｔB及び時刻ｔB’間の出力動画像データを画像ファイルに格納した上で記録媒体１６に保存する。ここで、時刻ｔBにおいて１回目の録画停止信号が発生し、時刻ｔB’において２回目の録画停止信号が発生したものとする。取消判定が成される場合における時刻ｔB及びｔB’は、夫々、図７の例における時刻ｔB2及びｔB4に相当する。
【００６７】
一方、有効判定を成した場合、主制御部１８は、時刻ｔBにてユーザが成した操作（即ち、録画停止信号を発生させるための第２指示操作）が有効であると確定し、時刻ｔB及び（ｔB＋ＴＨ）間において暫定的に記録媒体１６内に保存しておいた、時刻ｔB及び（ｔB＋ＴＨ）間の出力動画像データの画像ファイルを記録媒体１６から削除する。有効判定が成される場合における時刻ｔB及び（ｔB＋ＴＨ）は、夫々、図８の例における時刻ｔB2及びｔB2’に相当する。
【００６８】
図７の例に沿って、具体的動作を説明する。図７の例では、時刻ｔB2から基準時間ＴＨが経過する前に取消信号が発生している。このため、主制御部１８は、時刻ｔB2の操作（即ち録画停止信号を発生させるための第２指示操作）に対して取消判定を成し、次回に録画停止信号が発生するまで、有効エンコーダであるエンコーダ２２にエンコード処理を実行させる。従って、エンコーダ２２は、時刻ｔB2及びｔB4間の撮影によって得られる入力動画像データに対してエンコード処理を実行し、これによって時刻ｔB2及びｔB4間の入力動画像データに基づく時刻ｔB2及びｔB4間の出力動画像データを生成する。時刻ｔB2及びｔB4間において、メモリドライバ１５は、記録媒体１６内に画像ファイルＦ4を作成し、主制御部１８の制御の下で時刻ｔB2及びｔB4間の出力動画像データを画像ファイルＦ4に格納してゆく。
【００６９】
時刻ｔB4において録画停止信号が発生すると、主制御部１８は、エンコーダ２２によるエンコード処理の実行を停止させる。時刻ｔB4以降において、特別な操作が成されない限り、時刻ｔB1及びｔB2間の出力動画像データを格納した画像ファイルＦ3と、時刻ｔB2及びｔB4間の出力動画像データを格納した画像ファイルＦ4とが、記録媒体１６に保存されたままとなる。画像ファイルのファイル番号が画像ファイルの作成順に連続番号で与えられる場合、主制御部１８は、例えば、画像ファイルＦ3に対してファイル番号“００１”を与え、画像ファイルＦ4に対してファイル番号“００２”を与える。
【００７０】
尚、図７には、時刻ｔB4以降の動作が示されていないが、時刻ｔB4以降においても、有効エンコーダの切り替え動作を含む、録画停止信号の発生後の動作が実行される（図９に対応する、後述の第４具体例を参照）。
【００７１】
上述の如く、エンコーダを複数個設けておき、録画停止信号の発生に応じて有効エンコーダを切り替えてエンコーダ処理を継続し続けておくようにすれば、録画停止を指示した後であっても取消信号を発生させる操作を成すことで録画停止の指示を取り消したかのような効果が得られる。図７の例では、時刻ｔB2において録画停止を指示したにも関わらず事後的に取消信号を発生させる操作を成すことで、時刻ｔB1及びｔB4間における動画像データを、欠落期間を生じさせること無く記録媒体１６に記録させることができる。即ち、本方法によれば、録画終了タイミングを何度でも変更できるかのような効果が得られる。
【００７２】
時刻ｔB2において一度録画停止を指示したものの、時刻ｔB2以後において録画の必要な重要なシーンが現れることがある。このような場合、従来の撮像装置のユーザは、録画開始の指示を再度行うこととなるが、従来の撮像装置では、録画停止の指示から準備必要期間を経た後でしか録画を再開することができない。一方、本実施形態に係る撮像装置１によれば、時刻ｔB2以後において重要なシーンが確認された時点で取消信号を発生させる操作を成せばよい。これにより、時刻ｔB2を起点とした動画像が記録されるため、重要なシーンの撮り逃しが回避される。
【００７３】
また、録画停止信号の発生後、取消信号の受付可能時間を撮像装置１の表示部（不図示）等を用いてユーザに提示しても良い（後述の第３及び第４具体例についても同様）。取消信号の受付可能時間とは、取消判定が成されうる期間の終了時点までの残り時間を指す。従って、図７及び図８の例では、時刻ｔB2において取消信号の受付可能時間が基準時間ＴＨであることを表示部に表示し、時刻（ｔB2＋Δｔ’）において取消信号の受付可能時間が基準時間（ＴＨ−Δｔ’）であることを表示部に表示すると良く（但し、０＜Δｔ’＜ＴＨ）、取消信号が発生することなく時刻（ｔB2＋ＴＨ）＝ｔB2’に至ったのであれば取消信号の受付が終了した旨を表示部に表示すると良い。後述の第４具体例についても同様である。このような受付可能時間の提示により、ユーザは撮像装置１のシステム状態を適切に把握することができ、結果、適切な操作が可能となる。
【００７４】
［第３具体例］
第３具体例を説明する。上述したように、図８は、第３具体例の概念図である。第３具体例では、第２具体例と同様、時刻ｔB1においてユーザが第１指示操作を成すことで録画開始信号が発生し、時刻ｔB2においてユーザが第２指示操作を成すことで録画停止信号が発生している。従って、第３具体例において、時刻ｔB1及びｔB2間における動作並びに時刻ｔB2における有効エンコーダの切り替え動作は、上述の第２具体例のそれと同じである。但し、第３具体例では、時刻ｔB2から基準時間ＴＨが経過した時点である時刻ｔB2’までに、取消信号が発生しなかったものとする。
【００７５】
このため、時刻ｔB2以降において、以下のような動作が成される。時刻ｔB2’に至るまでは、主制御部１８は、時刻ｔB2の操作（即ち録画停止信号を発生させるための第２指示操作）に取消判定及び有効判定の何れを成すべきかを確定できない。故に、主制御部１８は、時刻ｔB2及びｔB2’間において有効エンコーダにエンコード処理を実行させる。従って、時刻ｔB2及びｔB2’間の有効エンコーダであるエンコーダ２２は、時刻ｔB2及びｔB2’間の撮影によって得られる入力動画像データに対してエンコード処理を実行し、これによって時刻ｔB2及びｔB2’間の入力動画像データに基づく時刻ｔB2及びｔB2’間の出力動画像データを生成する。時刻ｔB2及びｔB2’間において、メモリドライバ１５は、記録媒体１６内に画像ファイルＦ4を作成し、主制御部１８の制御の下で時刻ｔB2及びｔB2’間の出力動画像データを画像ファイルＦ4に格納しておく。
【００７６】
時刻ｔB2及びｔB2’間において取消信号が発生していないことが確認されると、主制御部１８は、時刻ｔB2の操作（即ち録画停止信号を発生させるための第２指示操作）に対して有効判定を成し、時刻ｔB2及びｔB2’間において暫定的に記録媒体１６内に保存しておいた、時刻ｔB2及びｔB2’間の出力動画像データの画像ファイルＦ4を記録媒体１６から削除する。これにより、ユーザによって記録が意図されていない画像データを、自動的に記録媒体１６から除去することができる。
【００７７】
尚、第２又は第３具体例においては、１つの録画ボタン１１１（図３（ｂ）参照）のみで、録画開始信号を発生させる操作である第１指示操作、録画停止信号を発生させる操作である第２指示操作、及び、取消信号を発生させる操作である第３指示操作を実現することもできる。この場合、録画ボタン１１１を１回目に押す操作を第１指示操作として取り扱い、録画ボタン１１１を２回目に押す操作を第２指示操作として取り扱う。録画ボタン１１１を２回目に押す操作が成された時点から、基準時間ＴＨ以内に録画ボタン１１１を再度押す操作が成された場合、その操作（即ち、録画ボタン１１１を３回目に押す操作）を第３指示操作として取り扱い、その後、録画ボタン１１１を４回目に押す操作を第２指示操作として取り扱えば良い（図７も参照）。
【００７８】
一方、録画ボタン１１１を２回目に押す操作と録画ボタン１１１を３回目に押す操作との間の時間長さが基準時間ＴＨを超える場合には、録画ボタン１１１を２回目に押した操作に対して有効判定を成し（図８も参照）、その後、録画ボタン１１１を３回目に押す操作を第１指示操作として取り扱えばよい。
【００７９】
［第４具体例］
第４具体例を説明する。図９は、第４具体例の概念図である。第４具体例の動作は、上述の第２及び第３具体例の動作を組み合わせたような動作である。時刻ｔB1、ｔB2、ｔB3及びｔB4において発生する各信号及び時刻ｔB1及びｔB4間の動作は、第２具体例のそれと同じである。従って、時刻ｔB4以降において、特別な操作が成されない限り、時刻ｔB1及びｔB2間の出力動画像データを格納した画像ファイルＦ3と、時刻ｔB2及びｔB4間の出力動画像データを格納した画像ファイルＦ4とが、記録媒体１６に保存されたままとなる。
【００８０】
時刻ｔB4において録画停止信号が発生すると、主制御部１８は、時刻ｔB4において又は時刻ｔB4の直後において、速やかに画像処理部１４の状態を第２選択状態から第１選択状態へと切り替える（即ち、有効エンコーダとして選択されるべきエンコーダをエンコーダ２２からエンコーダ２１へと切り替える）。時刻ｔB4において、エンコーダ２１の状態はスタンバイ状態になっているため、エンコーダ２１は、時刻ｔB4から直ちにエンコード処理を実行することができる。時刻ｔB4においてエンコーダ２１の状態を確実にスタンバイ状態にしておくべく、基準時間ＴＨを準備必要期間の時間長さ以上に設定しておくことが望ましい。
【００８１】
その後、時刻ｔB4及びｔB5間において取消信号が発生しなかったものとする。時刻ｔB5は、時刻ｔB4から基準時間ＴＨが経過した時点の時刻である。時刻ｔB5に至るまでは、主制御部１８は、時刻ｔB4の操作（即ち録画停止信号を発生させるための第２指示操作）に取消判定及び有効判定の何れを成すべきかを確定できない。故に、主制御部１８は、時刻ｔB4及びｔB5間において有効エンコーダにエンコード処理を実行させる。従って、時刻ｔB4及びｔB5間の有効エンコーダであるエンコーダ２１は、時刻ｔB4及びｔB5間の撮影によって得られる入力動画像データに対してエンコード処理を実行し、これによって時刻ｔB4及びｔB5間の入力動画像データに基づく時刻ｔB4及びｔB5間の出力動画像データを生成する。時刻ｔB4及びｔB5間において、メモリドライバ１５は、記録媒体１６内に画像ファイルＦ5を作成し、主制御部１８の制御の下で時刻ｔB4及びｔB5間の出力動画像データを画像ファイルＦ5に格納しておく。
【００８２】
時刻ｔB4及びｔB5間において取消信号が発生していないことが確認されると、主制御部１８は、時刻ｔB4の操作（即ち録画停止信号を発生させるための第２指示操作）に対して有効判定を成し、時刻ｔB4及びｔB5間において暫定的に記録媒体１６内に保存しておいた、時刻ｔB4及びｔB5間の出力動画像データの画像ファイルＦ5を記録媒体１６から削除する。これにより、ユーザによって記録が意図されていない画像データを、自動的に記録媒体１６から除去することができる。
【００８３】
尚、時刻ｔB3におけるユーザの操作が録画停止の指示の取り消しを望むものであることを考慮すれば、時刻ｔB1及びｔB2間の出力動画像データを格納した画像ファイルＦ3と時刻ｔB2及びｔB4間の出力動画像データを格納した画像ファイルＦ4が作成された後、図１０に示す如く、それらの画像ファイルを結合して新たな画像ファイルＦ34を作成し、画像ファイルＦ34を記録媒体１６に保存するようにしても良い。画像ファイルＦ34を記録媒体１６に保存する場合、画像ファイルＦ3及びＦ4を記録媒体１６から削除すると良い。画像ファイルＦ34の作成及び保存並びに画像ファイルＦ3及びＦ4の削除は、主制御部１８の制御の下、メモリドライバ１５によって実行される。画像ファイルＦ3に格納されていた時刻ｔB1及びｔB2間の出力動画像データと、画像ファイルＦ4に格納されていた時刻ｔB2及びｔB4間の出力動画像データとを時系列上に結合することで時刻ｔB1及びｔB4間の連続的な出力動画像データが生成され、その時刻ｔB1及びｔB4間の連続的な出力動画像データが画像ファイルＦ34内に格納される。
【００８４】
＜＜変形等＞＞
上述の説明文中に示した具体的な数値は、単なる例示であって、当然の如く、それらを様々な数値に変更することができる。上述の実施形態に適用可能な注釈事項として、以下に、注釈１〜注釈４を記す。各注釈に記載した内容は、矛盾なき限り、任意に組み合わせることが可能である。
【００８５】
［注釈１］
図１の撮像装置１では、エンコーダの外部にＡＦＥ１２及び前段処理部１３が設けられているが、ＡＦＥ１２及び前段処理部１３の機能の全部又は一部をエンコーダ２１及び２２の夫々に担わせるようにしても良い。
【００８６】
［注釈２］
図１の画像処理部１４には、エンコーダが２つだけ備えられているが、画像処理部１４に設けられるエンコーダの個数は３以上でも良い。即ち、各々がエンコーダ２１と同一の機能を有するＮ個のエンコーダを画像処理部１４に設けておいても良い。Ｎは３以上の整数である。そして、操作部１７に対する操作内容に応じて、有効エンコーダとして選択されるべきエンコーダをＮ個のエンコーダの中で切り替えるようにしても良い。より具体的には例えば、録画やり直し信号を発生させる操作が成されたとき（図５及び図６参照）、或いは、録画停止信号を発生させる操作が成されたとき（図７〜図９参照）、有効エンコーダとして選択されるべきエンコーダを、第ｉのエンコーダから第ｊのエンコーダへと切り替えるようにしても良い。第ｉ及び第ｊのエンコーダは、Ｎ個のエンコーダに含まれる、互いに異なるエンコーダである（ｉ及びｊは整数）。
【００８７】
［注釈３］
撮像装置１は、任意の機器（携帯電話機などの携帯端末）に搭載されるものであっても良い。
【００８８】
［注釈４］
図１の撮像装置１を、ハードウェア、或いは、ハードウェアとソフトウェアの組み合わせによって構成することができる。ソフトウェアを用いて撮像装置１を構成する場合、ソフトウェアにて実現される部位についてのブロック図は、その部位の機能ブロック図を表すことになる。ソフトウェアを用いて実現される機能をプログラムとして記述し、該プログラムをプログラム実行装置（例えばコンピュータ）上で実行することによって、その機能を実現するようにしてもよい。
【符号の説明】
【００８９】
１  撮像装置
１１  撮像部
１４  画像処理部
１５  メモリドライバ
１６  記録媒体
１７  操作部
１８  主制御部
２０  入力切替部
２１  エンコーダ（第１エンコーダ）
２２  エンコーダ（第２エンコーダ）
２３  出力切替部
【図１】
2011239003.tif 000003
【図２】
2011239003.tif 000004
【図３】
2011239003.tif 000005
【図４】
2011239003.tif 000006
【図５】
2011239003.tif 000007
【図６】
2011239003.tif 000008
【図７】
2011239003.tif 000009
【図８】
2011239003.tif 000010
【図９】
2011239003.tif 000011
【図１０】
2011239003.tif 000012
【図１１】
2011239003.tif 000013
【図１２】
2011239003.tif 000014